(57)【要約】      （修正有）【課題】２つの引手を持つスライダの部品数を低減し、低コストと操作性の向上を達成する。【解決手段】本発明のジップファスナ用スライダ１は、２つの引手２，３と、中空体４と、中空体４内に設けられるとともに、前記２つの引手のうちの一方が引っ張られると、爪７をファスナの歯部Ｚｉ間に挿入された状態に保つ弾性手段８の抵抗を上回って、前記爪を前記ファスナの歯部Ｚｉから解放するための手段１０と、を具備する。前記手段は、前記歯Ｚｉを含む平面βを挟んで相対して位置する脚部５，６を備えるとともに、前記スライダ１における点Ｐを中心に枢動可能であるフォーク１０を含み、前記引手３により前記脚部５，６のうちの少なくとも一方の脚部６にリング３ａを介して力が作用すると、前記フォーク１０は、前記歯部Ｚｉを含む平面βに垂直な平面α内で枢動する。【選択図】図１
2005131357.tif 000002
【特許請求の範囲】
【請求項１】
２つの引手（２，３）を有するジップファスナ用スライダ（１，１１）であって、中空体（４）と、中空体（４）内に設けられるとともに、前記２つの引手のうちの一方が引っ張られると、爪（７，１７）をファスナの歯部（Ｚｉ）間に挿入された状態に保つ弾性手段（８，９）の抵抗を上回って、前記爪を前記ファスナの歯部（Ｚｉ）から解放するための手段（１０，２０）と、を具備する構成において、前記手段は、前記歯（Ｚｉ）を含む平面（β）を挟んで相対して位置する脚部（５，６，１５，１６）を備えるとともに、前記スライダ（１，１１）における点（Ｐ，Ｑ）を中心に枢動可能であるフォーク（１０，２０）を含み、前記引手（３）により前記脚部（５，６，１５，１６）のうちの少なくとも一方の脚部（６，１６）にリング（３ａ）を介して力が作用すると、前記フォーク（１０，２０）は、前記歯部（Ｚｉ）を含む平面（β）に垂直な平面（α）内で枢動することを特徴とする、スライダ。
【請求項２】
前記２つの引手（２，３）のうちの一方の引手（２）は、弾性ストリップ（８）に連結されており、当該弾性ストリップ（８）は、前記歯部(Ｚｉ)から前記爪（７）を解放できるように当該爪（７）まで延びており、他方の引手（３）は前記フォーク（１０）の前記一方の脚部（６）に連結されており、他方の脚部（５）は前記弾性ストリップ（８）に対面しており、前記他方の引手（３）を引くと前記フォーク（１０）の枢動（Ｒ）が生じて前記脚部（５）が移動し、前記爪（７）を前記歯部(Ｚｉ)から解放する、請求項１に記載のスライダ。
【請求項３】
前記爪（１７）は、前記脚部（１５，１６）のうちの一方の脚部（１５）の自由端（１５ｔ）に形成され、前記フォーク（２０）と前記中空体（１４）との間には弾性圧縮バネ（９）が挿入されており、前記フォーク（２０）に力が作用していない場合には、前記弾性圧縮バネ（９）は、前記爪（１７）を前記ファスナの前記歯部（Ｚｉ）間に挿入した状態に保ち、前記脚部（１５，１６）は、それぞれ前記リング（２ａ，３ａ）を介して前記２つの引手（２，３）に連結されており、前記２つの引手（２，３）のうちのいずれかが引っ張られると前記フォーク（２０）の枢動（Ｏ）が生じ、前記爪（１７）が前記ファスナの前記歯部（Ｚｉ）から解放される、請求項１に記載のスライダ。
【発明の詳細な説明】
【技術分野】
【０００１】
本発明は、いわゆる「ジップファスナ」と呼ばれる分野に属する。
【背景技術】
【０００２】
ファスナの開閉は、リングによりスライダの各側に連結された２つの引手のうちの１つを引っ張ることにより行われる。すなわち、スライダは、ファスナの歯部を閉じたり開いたりする部材である。このようなスライダの一例は、下記特許文献１に開示されている。
【特許文献１】欧州特許公開第２０４１８６号公報
【０００３】
上記文献において、スライダはファスナの歯部間を貫く鋭部材により固定位置にロックされている。したがって、スライダを動かすためには、まず「爪」とも呼ばれるこの部材を歯部から外す必要がある。
【０００４】
上述のように、スライダに連結された２つの引手のうちのどちらかを引っ張ることでこのようなロック機能が確実に働くように、引手の端部リングは、２つのレバーに連結されているとともに、スライダの中空体（本体）内においてファスナ面の両側に位置している。両レバーは、適切な弾性部材の作用によって相互に接触している。これらのレバーの一方は爪と一体化しており、レバーは、２つの引手のうちの一方を引っ張ると爪がファスナの歯部から解放されるという動きを直接または間接的に引き起こすように構成されている。
【０００５】
しかしながら、上記のようなレバーおよびその作動システムの製造には、製造コストに加えて組立てコストもかかる。２つの引手を有するスライダの価格はもともと安いことを考えると、これらのコストは総コストに多大な影響を与える。
【０００６】
さらに、装置の部品数が増加すると潜在故障原因が増加するため、上記の方法により製造されたスライダの信頼性は不十分である。正確な操作性を得るためには、さらにコストのかかる方法や材料を用いる必要があり、それだけ価格への影響が大きくなる。
【発明の開示】
【発明が解決しようとする課題】
【０００７】
本発明の課題は、上述のような２つの引手を有するスライダにおいて、部品の数を減らすことにより低コスト化および操作性の向上を達成することである。
【課題を解決するための手段】
【０００８】
以下で述べるように、本発明の発明者は、２つの引手を有するスライダにおける２つのレバーを１つの部材から形成することを考案した。具体的には、本発明のジップファスナ用スライダは、２つの引手と、中空体と、中空体内に設けられるとともに、前記２つの引手のうちの一方が引っ張られると、爪をファスナの歯部間に挿入された状態に保つ弾性手段の抵抗を上回って、前記爪を前記ファスナの歯部から解放するための手段と、を具備する構成において、前記手段は、前記歯を含む平面を挟んで相対して位置する脚部を備えるとともに、前記スライダにおける点を中心に枢動可能であるフォークを含み、前記引手により前記脚部のうちの少なくとも一方の脚部にリングを介して力が作用すると、前記フォークは、前記歯部を含む平面に垂直な平面内で枢動する。
【０００９】
２つの引手を有する従来のスライダと同様に、本発明のスライダにおいても、弾性手段は、通常状態では、ファスナの歯部間に爪を挿入した状態に保持する。引手が操作されると、弾性手段は爪を解放することができる形状に弾性的に撓み変形する。
【発明を実施するための最良の形態】
【００１０】
本発明のスライダの２つの実施例について、添付の図面を参照しながら説明する。
【００１１】
図１〜３に示すように、本発明の第１実施例に係るスライダ１は、２つの引手２，３を有しており、スライダの中空体（本体）４は、フォーク１０を収容している。フォーク１０は、スライダにおける点Ｐを中心として枢動し、２つの脚部５，６を有している。これらの脚部は、ファスナ（図示略）の歯部Ｚｉを含む平面βをまたぐように位置している。爪７まで延びている弾性ストリップ８は、力が作用していないときは爪７を歯Ｚｉ間に挿入された状態に保ち、スライダ１をロックするような形状に形成されている。ストリップ８は、フォーク１０の一方の脚部５に対面するとともにそれに略平行であるように位置している。
【００１２】
一方の引手２はリング２ａによりスライダに連結されており、引手２を引っ張ると（図２参照）、爪７は歯Ｚｉから（矢印Ｍ方向に）解放される。
【００１３】
他方の引手３は、リング３ａを介して対応する脚部６に当接している。この引手３を引っ張ると、歯Ｚｉを含む平面βに垂直な平面α上の点Ｐを中心にフォーク１０が枢動し（図３の矢印Ｒ）、ストリップ８と接触している脚部５が、この場合も同様にストリップを弾性的に変形させ、爪７を歯Ｚｉから解放させる（矢印Ｎ方向）。
【００１４】
ここで留意せねばならないのは、一方の引手２の牽引力はストリップ８に直接的に作用するが、図の他方の引手３は、リング３ａを傾斜面Ｓに押しつけることによって、フォーク１０の矢印Ｒ方向の枢動を間接的に引き起こすことである。
【００１５】
このような傾斜面を用いた連結システムは、当業者にとって公知である。
【００１６】
図４は、本発明の第２実施例に係るスライダ１１を示している。本実施例においても、スライダ１１は２つの脚部１５，１６を備えたフォーク２０を収容する中空体１４を有している。脚部１５，１６は、点Ｑを中心として、ファスナ（図示略）の歯Ｚｉを含む平面βに垂直な平面α内で枢動する（図５および６の矢印Ｏ）。
【００１７】
しかしこの実施例、爪１７は別の部材を構成しておらず、図の一方の脚部１５の自由端１５ｔに一体化形成されている。
【００１８】
図５および６からわかるように、２つの引手２，３はそれぞれリング２ａ，３ａにより脚部１５，１６に連結されており、いずれかの引手を引っ張れば、フォーク２０を矢印Ｏ方向に枢動させることができ、その結果、爪１７がファスナの歯Ｚｉから引き抜かれる。
【００１９】
この場合、爪１７を歯Ｚｉ間に挿入した状態に保つ弾性力は、フォーク２０とスライダ１１の中空体１４間に配置されたバネ９により与えられる。バネ９は、フォーク２０の矢印Ｏ方向の枢動に逆らうように設計および配置されている。
【００２０】
いずれの実施例においても、本発明のスライダ１，１１は、構成部品の数が少ないので、より信頼性が高く、製造コストが安くなる。
【図面の簡単な説明】
【００２１】
【図１】本発明の第１実施例に係るスライダを示す拡大縦断面図である。
【図２】図１のスライダにおいて、一方の引手を引いた状態を示す、図１と同様の縦断面図である。
【図３】図１のスライダにおいて、他方の引手を引いた状態を示す、図１と同様の縦断面図である。
【図４】本発明の第２実施例に係るスライダを示す拡大縦断面図である。
【図５】図４のスライダにおいて、一方の引手を引いた状態を示す、図４と同様の縦断面図である。
【図６】図４のスライダにおいて、他方の引手を引いた状態を示す、図４と同様の縦断面図である。
【図１】
2005131357.tif 000003
【図２】
2005131357.tif 000004
【図３】
2005131357.tif 000005
【図４】
2005131357.tif 000006
【図５】
2005131357.tif 000007
【図６】
2005131357.tif 000008